(57)【特許請求の範囲】
【請求項１】
パケット網に接続され、ＩＴＵ−Ｔ勧告Ｔ．３８に基づいた手順により前記パケット網を介して、当該パケット網に直結されたネットワークファクシミリ装置、または、公衆網を介してＩＴＵ−Ｔ勧告Ｔ．３０に基づいた手順によりＧ３ファクシミリ装置と接続されるゲートウェイ装置のいずれかの端末種別の送信相手先装置にデータを送信するネットワークファクシミリ装置において、
データ送信時の前記パケット網を介したデータ伝送における単位時間当たりのデータ伝送量を、データ送信に先だって、受信側の前記送信相手先装置との間のＴ．３０信号のやりとりにより決定した通信速度にみあうデータ伝送量に調節する通信速度調節送信手段を備えたことを特徴とするネットワークファクシミリ装置。
【請求項２】
パケット網に接続され、ＩＴＵ−Ｔ勧告Ｔ．３８に基づいた手順により前記パケット網を介して、当該パケット網に直結されたネットワークファクシミリ装置、または、公衆網を介してＩＴＵ−Ｔ勧告Ｔ．３０に基づいた手順によりＧ３ファクシミリ装置と接続されるゲートウェイ装置のいずれかの端末種別の送信相手先装置にデータを送信するネットワークファクシミリ装置において、
前記ＩＴＵ−Ｔ勧告Ｔ．３８に基づいた手順による前記パケット網を介した前記送信相手先装置との間のやりとりにより、前記送信相手先装置がネットワークファクシミリ装置またはゲートウェイ装置のいずれの端末種別であるかを特定する端末種別特定手段と、
前記端末種別特定手段により前記送信相手先装置がネットワークファクシミリ装置であると特定された場合には、前記パケット網を介して可能な最高通信速度でデータ送信を行う一方、前記端末種別特定手段により前記送信相手先装置がゲートウェイ装置であると特定された場合には、データ送信時の前記パケット網を介したデータ伝送における単位時間当たりのデータ伝送量を、データ送信に先だって、受信側の前記送信相手先装置との間のＴ．３０信号のやりとりにより決定した通信速度にみあうデータ伝送量に調節する通信速度調節送信手段と
を備えたことを特徴とするネットワークファクシミリ装置。
【請求項３】
パケット網に接続され、ＩＴＵ−Ｔ勧告Ｔ．３８に基づいた手順により前記パケット網を介して、当該パケット網に直結されたネットワークファクシミリ装置、または、公衆網を介してＩＴＵ−Ｔ勧告Ｔ．３０に基づいた手順によりＧ３ファクシミリ装置と接続されるゲートウェイ装置のいずれかの端末種別の送信相手先装置にデータを送信するネットワークファクシミリ装置において、
所定の端末種別指定操作入力に応じて前記送信相手先装置がネットワークファクシミリ装置またはゲートウェイ装置のいずれの端末種別であるかを特定する端末種別特定手段と、前記端末種別特定手段により前記送信相手先装置がネットワークファクシミリ装置であると特定された場合には、前記パケット網を介して可能な最高通信速度でデータ送信を行う一方、前記端末種別特定手段により前記送信相手先装置がゲートウェイ装置であると特定された場合には、データ送信時の前記パケット網を介したデータ伝送における単位時間当たりのデータ伝送量を、データ送信に先だって、受信側の前記送信相手先装置との間のＴ．３０信号のやりとりにより決定した通信速度にみあうデータ伝送量に調節する通信速度調節送信手段とを備えたことを特徴とするネットワークファクシミリ装置。
【請求項４】
パケット網に接続され、ＩＴＵ−Ｔ勧告Ｔ．３８に基づいた手順により前記パケット網を介して、当該パケット網に直結されたネットワークファクシミリ装置、または、公衆網を介してＩＴＵ−Ｔ勧告Ｔ．３０に基づいた手順によりＧ３ファクシミリ装置と接続されるゲートウェイ装置のいずれかの端末種別の送信相手先装置にデータを送信するネットワークファクシミリ装置において、各送信宛先ごとにネットワークファクシミリ装置またはゲートウェイ装置のいずれかの端末種別を予め対応付けて記憶した宛先別端末種別登録テーブルと、データ送信時における所定の送信宛先指定操作入力により指定された送信宛先を前記宛先別端末種別登録テーブルと照合して、前記送信相手先装置がネットワークファクシミリ装置またはゲートウェイ装置のいずれの端末種別であるかを特定する端末種別特定手段と、前記端末種別特定手段により前記送信相手先装置がネットワークファクシミリ装置であると特定された場合には、前記パケット網を介して可能な最高通信速度でデータ送信を行う一方、前記端末種別特定手段により前記送信相手先装置がゲートウェイ装置であると特定された場合には、データ送信時の前記パケット網を介したデータ伝送における単位時間当たりのデータ伝送量を、データ送信に先だって、受信側の前記送信相手先装置との間のＴ．３０信号のやりとりにより決定した通信速度にみあうデータ伝送量に調節する通信速度調節送信手段とを備えたことを特徴とするネットワークファクシミリ装置。
【請求項５】
前記端末種別特定手段により特定された相手先端末種別を表示する端末種別表示手段を更に備えたことを特徴とする請求項２または４のいずれかに記載のネットワークファクシミリ装置。
【発明の詳細な説明】
【０００１】
【発明の属する技術分野】
本発明は、ネットワークを介してデータ通信を行うネットワークファクシミリ装置に関し、特に、パケット網に接続され、ＩＴＵ−Ｔ勧告Ｔ．３８に基づいた手順により前記パケット網を介して相手先装置との間でデータのやりとりを行うネットワークファクシミリ装置に関する。
【０００２】
【従来の技術】
従来のファクシミリ通信は、ＩＴＵ−Ｔ勧告Ｔ．３０に基づいたＧ３ファクシミリのように、電話網を介したものが一般的であったが、基本的に通信料金がかからない利点のある、インターネットに代表されるネットワークを介したパケット通信の急速な普及に伴い、ネットワーク経由のファクシミリ通信への要求が高まった。
【０００３】
ネットワーク経由のファクシミリ通信の形態としては、ファクシミリ文書を電子メールに変換して、他のネットワーク端末が電子メールを送受信するのと同様のプロトコルにより送受信する形態があった。
【０００４】
しかし、電子メールによるファクシミリ通信では、送信側端末から送信した電子メールが受信側のメールサーバに蓄積される一方、受信側端末が、そのメールサーバに定期的にアクセスして電子メールを受信する通信形態のため、送信側と受信側とが相互に能力交換を行えず、最適な形態でのファクシミリ文書の伝送が行えないばかりでなく、送信と受信が同時的には行われないために、送信文書が確実に受信されたかを送信側が確認できないという弊害があった。
【０００５】
そこで、１９９９年４月にパケット網上でパケット化したＴ.３０信号をやり取りするためのＩＴＵ−Ｔ勧告Ｔ．３８が制定された。このＴ．３８通信技術を利用することで、パケット網を介した端末間の能力交換および通信のリアルタイム性の保証が可能となった。
【０００６】
勧告Ｔ．３８に準拠したパケット網を介した通信を行うネットワーク端末装置としては、２種類ある。１つは、自装置から直接データ送信を行い、また、受信データを自装置が直接受信する、パケット網直結型のネットワークファクシミリ装置である。別の１つは、公衆網を介してＧ３ファクシミリ装置との間で勧告Ｔ．３０に準拠した公衆網を介した通信を行うと同時に、勧告Ｔ．３８に準拠したパケット網を介した通信を相手先のネットワークファクシミリ装置との間で行うことで、公衆網上のＧ３ファクシミリ装置とパケット網上のネットワークファクシミリ装置との間のファクシミリ通信をリアルタイムにプロトコル変換して中継するゲートウェイ装置である。
【０００７】
公衆網を介して相互接続されたゲートウェイ装置とＧ３ファクシミリ装置とは、いわば、擬似的なネットワークファクシミリ装置を構成しているといえる。
【０００８】
パケット網直結型のネットワークファクシミリ装置同士が、パケット網を介して通信を行う場合には、そのパケット網において可能な通信速度の範囲内の、比較的高速な通信速度で通信を行うことができる。
【０００９】
【発明が解決しようとする課題】
しかし、パケット網直結型のネットワークファクシミリ装置が、前記擬似的なネットワークファクシミリ装置とパケット網を介して通信を行う場合には、そのパケット網における通信速度がいくら高速でも、前記擬似的なネットワークファクシミリ装置を構成するＧ３ファクシミリ装置とゲートウェイ装置との公衆網を介した比較的低い通信速度（９６００ｂｐｓ、４８００ｂｐｓ、２４００ｂｐｓ等）により制限されてしまうことになる。
【００１０】
そのため、パケット網直結型のネットワークファクシミリ装置が、送信相手先がゲートウェイ装置であるか否かによらず、前記パケット網において可能な比較的高速な通信速度で送信データを送信してしまうと、送信相手先がパケット網直結型のネットワークファクシミリ装置であれば問題ないが、送信相手先がゲートウェイ装置であると、そのゲートウェイ装置とＧ３ファクシミリ装置との間の公衆網を介した通信の速度が比較的低速であるために、送信データが前記ゲートウェイ装置で未処理のまま滞って通信バッファがオーバーフローしてしまって、正常な通信が行えなくなってしまう場合があるという問題点があった。
【００１１】
本発明係る事情に鑑みてなされたものであり、送信相手先装置がゲートウェイ装置であっても、送信相手先の通信バッファがオーバーフローすることなく安定した通信を行えるネットワークファクシミリ装置を提供することを目的とする。
【００１２】
【課題を解決するための手段】
請求項１に記載のネットワークファクシミリ装置は、パケット網に接続され、ＩＴＵ−Ｔ勧告Ｔ．３８に基づいた手順により前記パケット網を介して、当該パケット網に直結されたネットワークファクシミリ装置、または、公衆網を介してＩＴＵ−Ｔ勧告Ｔ．３０に基づいた手順によりＧ３ファクシミリ装置と接続されるゲートウェイ装置のいずれかの端末種別の送信相手先装置にデータを送信するネットワークファクシミリ装置において、データ送信時の前記パケット網を介したデータ伝送における単位時間当たりのデータ伝送量を、データ送信に先だって、受信側の前記送信相手先装置との間のＴ．３０信号のやりとりにより決定した通信速度にみあうデータ伝送量に調節する通信速度調節送信手段を備えたことを特徴とするネットワークファクシミリ装置。
【００１３】
請求項２に記載のネットワークファクシミリ装置は、パケット網に接続され、ＩＴＵ−Ｔ勧告Ｔ．３８に基づいた手順により前記パケット網を介して、当該パケット網に直結されたネットワークファクシミリ装置、または、公衆網を介してＩＴＵ−Ｔ勧告Ｔ．３０に基づいた手順によりＧ３ファクシミリ装置と接続されるゲートウェイ装置のいずれかの端末種別の送信相手先装置にデータを送信するネットワークファクシミリ装置において、前記ＩＴＵ−Ｔ勧告Ｔ．３８に基づいた手順による前記パケット網を介した前記送信相手先装置との間のやりとりにより、前記送信相手先装置がネットワークファクシミリ装置またはゲートウェイ装置のいずれの端末種別であるかを特定する端末種別特定手段と、前記端末種別特定手段により前記送信相手先装置がネットワークファクシミリ装置であると特定された場合には、前記パケット網を介して可能な最高通信速度でデータ送信を行う一方、前記端末種別特定手段により前記送信相手先装置がゲートウェイ装置であると特定された場合には、データ送信時の前記パケット網を介したデータ伝送における単位時間当たりのデータ伝送量を、データ送信に先だって、受信側の前記送信相手先装置との間のＴ．３０信号のやりとりにより決定した通信速度にみあうデータ伝送量に調節する通信速度調節送信手段とを備えたことを特徴とする。
【００１４】
請求項３に記載のネットワークファクシミリ装置は、パケット網に接続され、ＩＴＵ−Ｔ勧告Ｔ．３８に基づいた手順により前記パケット網を介して、当該パケット網に直結されたネットワークファクシミリ装置、または、公衆網を介してＩＴＵ−Ｔ勧告Ｔ．３０に基づいた手順によりＧ３ファクシミリ装置と接続されるゲートウェイ装置のいずれかの端末種別の送信相手先装置にデータを送信するネットワークファクシミリ装置において、所定の端末種別指定操作入力に応じて前記送信相手先装置がネットワークファクシミリ装置またはゲートウェイ装置のいずれの端末種別であるかを特定する端末種別特定手段と、前記端末種別特定手段により前記送信相手先装置がネットワークファクシミリ装置であると特定された場合には、前記パケット網を介して可能な最高通信速度でデータ送信を行う一方、前記端末種別特定手段により前記送信相手先装置がゲートウェイ装置であると特定された場合には、データ送信時の前記パケット網を介したデータ伝送における単位時間当たりのデータ伝送量を、データ送信に先だって、受信側の前記送信相手先装置との間のＴ．３０信号のやりとりにより決定した通信速度にみあうデータ伝送量に調節する通信速度調節送信手段とを備えたことを特徴とする。
【００１５】
請求項４に記載のネットワークファクシミリ装置は、パケット網に接続され、ＩＴＵ−Ｔ勧告Ｔ．３８に基づいた手順により前記パケット網を介して、当該パケット網に直結されたネットワークファクシミリ装置、または、公衆網を介してＩＴＵ−Ｔ勧告Ｔ．３０に基づいた手順によりＧ３ファクシミリ装置と接続されるゲートウェイ装置のいずれかの端末種別の送信相手先装置にデータを送信するネットワークファクシミリ装置において、各送信宛先ごとにネットワークファクシミリ装置またはゲートウェイ装置のいずれかの端末種別を予め対応付けて記憶した宛先別端末種別登録テーブルと、データ送信時における所定の送信宛先指定操作入力により指定された送信宛先を前記宛先別端末種別登録テーブルと照合して、前記送信相手先装置がネットワークファクシミリ装置またはゲートウェイ装置のいずれの端末種別であるかを特定する端末種別特定手段と、前記端末種別特定手段により前記送信相手先装置がネットワークファクシミリ装置であると特定された場合には、前記パケット網を介して可能な最高通信速度でデータ送信を行う一方、前記端末種別特定手段により前記送信相手先装置がゲートウェイ装置であると特定された場合には、データ送信時の前記パケット網を介したデータ伝送における単位時間当たりのデータ伝送量を、データ送信に先だって、受信側の前記送信相手先装置との間のＴ．３０信号のやりとりにより決定した通信速度にみあうデータ伝送量に調節する通信速度調節送信手段とを備えたことを特徴とする。
【００１６】
請求項５に記載のネットワークファクシミリ装置は、請求項２または４のいずれかに記載のネットワークファクシミリ装置において、前記端末種別特定手段により特定された相手先端末種別を表示する端末種別表示手段を更に備えたことを特徴とする。
【００１７】
【発明の実施の形態】
以下、添付図面を参照しながら、本発明の実施の形態を詳細に説明する。
【００１８】
先ず、図１に、本発明の実施の形態に係るネットワークファクシミリ装置１のパケット網を介した通信形態について示す。
【００１９】
同図において、ネットワークファクシミリ装置１は、インターネットなどのパケット網５０を介してＩＴＵ−Ｔ勧告Ｔ．３８に基づいた手順により、パケット網直結型の他のネットワークファクシミリ装置２０や、パケット網５０に接続されたゲートウェイ装置３０に公衆網（ＰＳＴＮ）６０を介して接続されることにより、間接的にパケット網５０に接続されるＧ３ファクシミリ装置４０との間でファクシミリ通信を行う。ネットワークファクシミリ装置１とネットワークファクシミリ装置２０との間のパケット直結型の装置間の通信では、パケット網５０において可能な比較的高速の通信速度での通信が可能であるが、ネットワークファクシミリ装置１や２０とゲートウェイ装置３０を介したＧ３ファクシミリ装置４０との間の通信では、いくらパケット網５０における通信速度が高速でも、ＰＳＴＮ６０における比較的低速な通信速度でしか、通信を行えない。
【００２０】
次に、図２に、実施の形態に係るネットワークファクシミリ装置１のブロック構成について示す。
【００２１】
同図において、ネットワークファクシミリ装置１は、システム制御部２、ＲＯＭ３、ＲＡＭ４、スキャナ５、プロッタ６、蓄積メモリ７、符号化復号化部８、操作表示部９、ＬＡＮ通信制御部１０、ＬＡＮインターフェイス１１、及び、システムバス１２により構成されている。
【００２２】
システム制御部２は、ＲＯＭ３に書き込まれた制御プログラムに従って、ＲＡＭ４を作業領域として使用しながら、装置各部を制御するマイクロコンピュータである。
【００２３】
ＲＯＭ３は、前述したように、システム制御部２が上記装置各部を制御するための制御プログラムが記憶されているリードオンリメモリである。ＲＡＭ４は、前述したようにシステム制御部２の作業領域として使用されるランダムアクセスメモリである。なお、ＲＡＭ４は、図示しないバックアップ回路によりバックアップされ、装置電源遮断時にも保持する必要のある、装置動作に必要な各種情報を書き換え可能に記憶するためにも使用される。
【００２４】
そのＲＡＭ４には、図３に示すように、ダイヤル登録テーブル４ａが予め登録・記憶されている。なお、図３に示すダイヤル登録テーブル４ａの詳細については、後述する。
【００２５】
スキャナ５は、３．８５本／ｍｍ、７．７本／ｍｍ、１５．４本／ｍｍ等の所定の読み取り線密度で原稿画像を読み取って画情報を得るためのものである。プロッタ６は、受信した画情報を、その線密度に応じて記録出力したり、スキャナ５で読み取った画情報を、その線密度に応じて記録出力（コピー動作）するためのものである。
【００２６】
蓄積メモリ７は、スキャナ５で読み取った画情報を、メモリ送信するために一時的にファイルとして蓄積したり、受信した画情報を、プロッタ６により記録するまでファイルとして一時的に蓄積したり、通信管理レポート等の各種レポートの画情報やワンタッチダイヤル登録リストや短縮ダイヤル登録リストの画情報をフォント展開して作成するための一時的な記憶領域としても使用される。
【００２７】
符号化復号化部８は、送信画像データを、Ｇ３ファクシミリに適合する、ＭＨ符号化方式、ＭＲ符号化方式、ＭＭＲ符号化方式、ＪＢＩＧ符号化方式等の所定の符号化方式で符号化圧縮する一方、受信画像データをＭＨ符号化方式、ＭＲ符号化方式、ＭＭＲ符号化方式、ＪＢＩＧ符号化方式等に対応する所定の復号化方式で復号伸長するものである。
【００２８】
操作表示部９は、相手先ファクシミリ番号やネットワークアドレスを指定するためのキー群や、送信スタートキー、ワンタッチダイヤルキー、及び、その他各種キーが配設される一方、液晶表示装置等の表示器を備え、ユーザに知らせるべき装置の動作状態や、各種メッセージを表示するものである。
【００２９】
図４にネットワークファクシミリ装置１の操作表示部９の具体的な構成について示す。
【００３０】
図４において、テンキー９ａは、送信相手先電話番号等を直接指定したり、短縮ダイヤルで指定したりする際に等に番号を入力するために用いられるものである。［スタート］キー９ｂは、ファクシミリ送信動作の開始や、コピー動作の開始を指示するためのものである。［ストップ］キー９ｃは、各種動作の強制的な停止を指示したり、操作の取り消しを指示したりするためのものである。［Ｙｅｓ］キー９ｄ及び［Ｎｏ］キー９ｅは、ユーザに決定または取消の各種選択をさせるためのキーである。［ファンクション］キー９ｆは、ワンタッチダイヤルの登録機能、短縮ダイヤルの登録機能、ユーザパラメータの設定機能や、ファクシミリ装置１の標準的なファクシミリ装置としての機能以外の、時刻指定送信、部門コード指定送信等の拡張的な機能を呼び出すためのもので、この［ファンクション］キー９ｆを押下して、テンキー９ａにより、各機能に対応した番号を入力することで、各機能を呼び出して実行することができる。
【００３１】
［短縮］キー９ｇは、短縮ダイヤル機能のためのもので、［短縮］キー９ｇの押下操作と、テンキー９ａによる数桁（本実施の形態では０１から９９の２桁であるとする）の番号の入力操作の組合せで、短縮ダイヤルの登録番号を指定するためのものである。
【００３２】
ワンタッチキー群８ｈは、ワンタッチダイヤル機能のためのもので、番号「０１」ないし「３２」までの各番号にそれぞれ対応するキーにより構成され、いずれかのワンタッチキーの押下操作により、ワンタッチダイヤルの登録番号を指定するためのものである。また、ワンタッチキー群８ｈは、［ＡＬＴ］キー９ｉとの組合せ操作により、メールアドレスを入力するためのアルファベットや記号を入力するためにも使用される。具体的には、例えば、［ＡＬＴ］キー９ｉを押下しながら、番号「０１」の［ワンタッチ］キーを押下することで、アルファベットの「Ａ」を入力できる。つまり、番号「０１」ないし「３２」までの各番号にそれぞれ対応する［ワンタッチ］キーは、［ＡＬＴ］キー９ｉを押下しながら押下することで、アルファベットキーとして機能する。
【００３３】
カーソルキー群９ｊは、［下矢印］キー９ｊｄ、［左矢印］キー９ｊｌ、［右矢印］キー９ｊｒ、及び、［上矢印］キー９ｊｕにより構成されている。［下矢印］キー９ｊｄ及び［上矢印］キー９ｊｕは、各キーの押下に応じて、表示器９ｈの表示内容を変更したり、表示内容を上下にスクロールしたりするものである。また、［左矢印］キー９ｊｌ及び［右矢印］キー９ｊｒは、各キーの押下に応じて、表示器９ｋに表示された項目や機能等を選択するものである。表示器９ｋは、ユーザに知らせるべき装置の動作状態や、各種メッセージを表示するものである。
【００３４】
図２に戻って、ＬＡＮ通信制御部１０は、パケット網５０に接続されているＬＡＮに接続された、ＬＡＮとの物理的なインターフェイスであるＬＡＮインターフェイス１１を介して、ＬＡＮプロトコル上でのＴＣＰ／ＩＰのプロトコル等によるパケットデータ伝送を制御するものである。
【００３５】
ＬＡＮインターフェイス１１は、前述したように、ＬＡＮとの物理的なインターフェイスである。システムバス１２は、上記各部がデータをやり取りするための信号ラインである。
【００３６】
次に、図３に示したダイヤルト登録テーブル４ａの詳細について説明する。
【００３７】
同図において、ダイヤル登録テーブル４ａは、短縮ダイヤル登録テーブルとワンタッチダイヤル登録テーブル各部分が複合したテーブルとして構成されている。
【００３８】
短縮ダイヤル登録テーブルは、登録番号「０１」ないし「９９」に対応した９９個のレコードにより構成されている。
【００３９】
ワンタッチダイヤル登録テーブルは、登録番号「０１」ないし「３２」に対応した３２個のレコードにより構成されている。
【００４０】
また、各登録テーブルの登録番号により特定される各レコードは、ワンタッチダイヤルや短縮ダイヤルの指定時に表示器９ｋに表示したりするための「相手先名称」のフィールドと、送信相手先を指定するための「宛先指定情報」のフィールドと、値０がインターネットファクス（ネットワークファクシミリ装置）を示し、値１がゲートウェイ（ゲートウェイ装置）を示し、値「−１」が種別不明を示す、「相手端末種別値」の各フィールドにより構成されている。なお、ダイヤル登録テーブル４ａの登録内容は、操作表示部９からの対話入力等により予め登録・記憶されている。
【００４１】
図５に、ＲＯＭ３に格納される、本発明を実施するために必要なソフトウェア構成について示す。同図において、最上位には「オペポート（操作表示部）制御」、「プロッタ制御」、「スキャナ制御」が位置し、その下に「全体制御」が位置し、その下に「ファックスイメージ作成」が位置し、その下にＩＴＵ−Ｔ勧告Ｔ．３０に基づいたＥＣＭ手順を含むファクシミリ通信手順を担う「Ｔ．３０エンジン」が位置し、その下に、ＩＴＵ−Ｔ勧告Ｔ．３０８に基づいた「Ｔ．３８ファックスデータ処理」、及び、ＩＴＵ−Ｔ勧告Ｈ．２２５．０に基づいた「Ｈ．２２５．０呼制御処理」が位置し、その下に、「ＴＣＰ／ＩＰ」のプロトコル制御が位置し、最下層にＬＡＮプロトコルを制御する「ＬＡＮコントローラ制御」がある。
【００４２】
図６に、パケット網５０を介した、パケット網直結型のネットワークファクシミリ装置（インターネットファクス）間のＩＴＵ−Ｔ勧告Ｔ．３８準拠の通信シーケンスについて示す。
【００４３】
同図において、送信元のインターネットファクス（左側）は、送信先のインターネットファクス（右側）に対して、SETUPメッセージを送出する（フェーズＦ１）。なお、その場合のSETUPメッセージのsourceInfo情報要素内のエンドポイントタイプとしては、パケット網直結型のインターネットファクスであることを示す「terminal」が格納される。
【００４４】
一方、送信先のインターネットファクスは、CONNECTメッセージを送出する（フェーズＦ２）。なお、その場合のCONNECTメッセージのdestinationInfo情報要素内のエンドポイントタイプとしては、パケット網直結型のインターネットファクスであることを示す「terminal」が格納される。
【００４５】
そのようにして、お互いがパケット網直結型のインターネットファクスであることを確認しあいつつ、Ｔ．３８セッションが確立し、以後Ｔ．３０に規定されている制御信号をパケットデータとしてやりとりして画データの通信を行う。
【００４６】
つまり、送信先のインターネットファクスが被呼端末識別信号ＣＳＩ／ディジタル識別信号ＤＩＳを送出し（フェーズＦ３）、それに呼応して送信元のインターネットファクスが送信端末識別信号ＴＳＩ／ディジタル送信命令信号ＤＣＳを送出して（フェーズＦ４）、能力交換及び通信パラメータの設定を行った上で、送信元がトレーニングチェック信号ＴＣＦ（オプション）を送出し（フェーズＦ５）、送信先が受信準備確認信号ＣＦＲを返すことで（フェーズＦ６）、伝送前手順を完了し、以後、画データの送信が行われる（フェーズＦ７）。
【００４７】
その場合の画データの送信は、従来は、ＬＡＮ通信制御部１０が持つパケット網５０を介したデータ伝送能力の範囲内の最高速度で行われていたが、送信相手先の装置も、パケット網直結型のインターネットファクスであるため、当該最高速度で画データを送信しても問題は生じない。
【００４８】
図７に、パケット網５０を介した、送信元のパケット網直結型のネットワークファクシミリ装置（インターネットファクス）と送信先のゲートウェイ装置との間のＩＴＵ−Ｔ勧告Ｔ．３８準拠の通信シーケンス及び、そのＴ．３８準拠の通信シーケンスに連動して行われる、当該送信先ゲートウェイ装置とＧ３ファクシミリ装置（Ｇ３ファクス）との公衆網を介したＴ．３０準拠の通信シーケンスについて示す。
【００４９】
同図において、送信元のインターネットファクスは、送信先のゲートウェイ装置に対して、SETUPメッセージを送出する（フェーズＦ１）。なお、その場合のSETUPメッセージのsourceInfo情報要素内のエンドポイントタイプとしては、パケット網直結型のインターネットファクスであることを示す「terminal」が格納される。
【００５０】
フェーズＦ１でSETUPメッセージを受信したゲートウェイ装置は、宛先のＧ３ファクスに公衆網を介して発呼して呼び出す（フェーズＦ１１）。
【００５１】
そのフェーズＦ１１の呼び出しに対してＧ３ファクスはオフフックして応答し（フェーズＦ１２）、そのフェーズ１２に呼応して、ゲートウェイ装置は、CONNECTメッセージを送出する（フェーズＦ２）。なお、その場合のCONNECTメッセージのdestinationInfo情報要素内のエンドポイントタイプとしては、Ｇ３ファクスとの通信を中継するゲートウェイ装置であることを示す「gateway」が格納される。
【００５２】
そのようにして、送信元は送信先がゲートウェイであることを確認する一方、送信先は、送信元がインターネットファクスであることを確認しあいつつ、Ｔ．３８セッションが確立し、以後Ｔ．３０に規定されている制御信号をゲートウェイ装置とＧ３ファクスとが公衆網を介してやりとりするの連動して、インターネットファクスとゲートウェイとがＴ．３０に規定されている制御信号をパケットデータとしてやりとりして画データの通信を行う。
【００５３】
つまり、送信先のＧ３ファクスが被呼端末識別信号ＣＳＩ／ディジタル識別信号ＤＩＳを公衆網を介してゲートウェイに送出し（フェーズＦ１３）、それに呼応してゲートウェイが、フェーズＦ１３で受信した被呼端末識別信号ＣＳＩ／ディジタル識別信号ＤＩＳをパケットデータとして、インターネットファクスに送出する（フェーズＦ３）。
【００５４】
それに呼応して、インターネットファクスが送信端末識別信号ＴＳＩ／ディジタル送信命令信号ＤＣＳを送出し（フェーズＦ４）、それに呼応してゲートウェイが、フェーズＦ１４でパケットデータとして受信した送信端末識別信号ＴＳＩ／ディジタル送信命令信号ＤＣＳを公衆網を介して、Ｇ３ファクスに送出して（フェーズＦ１４）、能力交換及び通信パラメータの設定を行った上で、インターネットファクスがレーニングチェック信号ＴＣＦ（オプション）を送出し（フェーズＦ５、）、それに呼応してゲートウェイが公衆網を介して、Ｇ３ファクスにトレーニングチェック信号ＴＣＦを送出する（フェーズＦ１５）。
【００５５】
そのフェーズＦ１５に呼応して、Ｇ３ファクスが受信準備確認信号ＣＦＲを公衆網を介して送出し（フェーズＦ１６）、それに呼応してゲートウェイがインターネットファクスに受信準備確認信号ＣＦＲをパケットデータとして送出して（フェーズＦ６）、伝送前手順を完了し、以後、画データの送信が行われる（フェーズＦ７、Ｆ１７）。
【００５６】
その場合の画データの送信は、従来は、ＬＡＮ通信制御部１０が持つパケット網５０を介したデータ伝送能力の範囲内の最高速度で行われていたが、実質的な送信相手先の装置は、公衆網を介したＧ３ファクスであるため、当該最高速度で画データを送信すると、ゲートウェイにおいて、Ｇ３ファクスに送信しきれない画データが滞留してしまい、ゲートウェイ装置が備える通信用のバッファメモリの容量によっては、バッファオーバーフローが発生して安定した通信が保証されなくなる問題がある。
【００５７】
そこで、本実施の形態に係るネットワークファクシミリ装置１においては、以下説明する送信処理手順を行う。
【００５８】
ネットワークファクシミリ装置１に適用可能な本実施の形態に係る送信処理手順として、第１、第２及び第３例の各手順が適用可能である。
【００５９】
先ず、第１例に係る送信処理手順について、図８を参照して説明する。
【００６０】
同図において、ネットワークファクシミリ装置１は、スキャナ５に原稿がセットされるかを監視し（判断１０１のＮｏループ）、スキャナ５に原稿がセットされると（判断１０１のＹｅｓ）、送信宛先の指定があるかを監視し（判断１０２のＮｏループ）、送信宛先の指定があると（判断１０２のＹｅｓ）、送信開始を指示する［スタート］キー９ｂの押下を監視し（判断１０３のＮｏループ）、［スタート］キーが押下されると（判断１０３のＹｅｓ）、判断１０１でスキャナ５にセットされた原稿を読み取り、得られた画情報を蓄積メモリ７に蓄積する（処理１０４）。
【００６１】
そして、図６または図７の通信シーケンスにフェーズＦ１として示したように、SETUPメッセージを送信し（処理１０５）、フェーズＦ２として示したように、CONNECTメッセージを受信して（処理１０６）、Ｔ．３８セッションを確立した上で（処理１０７）、図９の処理２０１に移行する。
【００６２】
図９の処理２０１では、通信速度調節送信処理を行う。
【００６３】
ここで、図９の処理２０１として行われる通信速度調節送信処理の具体的な処理手順について図１０を参照して説明する。
【００６４】
同図において、先ず、図６または図７の通信シーケンスにフェーズＦ３として示したようにディジタル識別信号ＤＩＳを受信して送信先の受信能力を知る（処理３０１）。なお、その場合受信能力のうちの対応通信速度は、２４００／４８００／９６００ｂｐｓのうちのいずれかであるとする。
【００６５】
そして、その通知された相手先の受信能力と自身の送信能力とから通信パラメータを設定してディジタル送信命令信号ＤＣＳとして送信する（処理３０２）。なお、その場合の通信速度（ｖ）としては、９６００ｂｐｓが設定されるものとする。
【００６６】
処理３０１と処理３０２とにより、これから行われようとする画データの送信時の通信速度（ｖ）が決定されると、次に、待ち時間Ｔｗａｉｔを算出する（処理３０３）。
【００６７】
処理３０３における、時間Ｔｗａｉｔは、（Ｖ−ｖ）／Ｖの計算式により算出される。ここで、Ｖは、ＬＡＮ通信制御部１０が可能なパケット網５０を介した最高通信速度であり、本実施の形態では、ネットワーク遅延は考慮しないとして、９６０００ｂｐｓであるとする。
【００６８】
したがって、計算式（Ｖ−ｖ）／Ｖは、（９６０００−９６００）／９６０００となり、計算結果は０．９となる。
【００６９】
つまり、これから行われようとする画データの公衆網を介した単位時間当たりのデータ伝送量（通信速度）に、パケット網５０を介した単位時間当たりのデータ伝送量がみあうようにするには、単位時間のうちの１０％の期間には速度Ｖでのデータ伝送を行い、９０％の期間データ伝送を休止して、平均して速度ｖでのデータ伝送が可能となるようにすればよいことになる。
【００７０】
そこで、通信速度Ｖ（この場合９６０００）で画情報を送信する（処理３０４）。ただしその場合の画情報の送信単位はｖ（この場合９６００）ｂiｔであるとする。したがって、処理３０４における画像の送信には、０．１秒を要することになる。
【００７１】
処理３０４の画情報の送信の後は、１ページの画データの送信が終了したかを判断し（判断３０５）、まだ、終了していない場合には（判断３０５のＮｏ）、処理３０３で算出した待ち時間Ｔｗａｉｔ（この場合０．９秒）だけ待ってから（処理３０６）。処理３０４に戻る。
【００７２】
判断３０５において、１ページの画データの送信が終了した場合には（判断３０５のＹｅｓ）、次ページの画データがあるかを判断し（判断３０７）、次ページの画データがない場合には（判断３０７のＮｏ）、処理を終了するが、次ページの画データがある場合には（判断３０７のＹｅｓ）、次ページの伝送についてモード変更があるかを判断し（判断３０８）、モード変更がない場合には（判断３０８のＮｏ）、処理３０６に移行し、モード変更がある場合には（判断３０８のＹｅｓ）、処理３０１に戻る。
【００７３】
このように、第１例の送信処理では、送信相手先がネットワークファクシミリ装置２０のようなパケット網直結型のネットワークファクシミリ装置ばかりでなく、公衆網を介して接続される、Ｇ３ファクシミリ装置との間の通信速度により、パケット網を介した通信速度が制限されるゲートウェイ装置である場合もあることを見越して、データ伝送においてウエイト処理を行うようにすることで、パケット網５０を介した単位時間当たりデータ伝送量を、公衆網を介した通信速度に合わせることができ、ネットワークファクシミリ装置１からの送信画データがＧ３ファクシミリ装置に未送信のままゲートウェイ装置３０に蓄積されしまってバッファオーバーフローが発生してしまうような事態の発生を未然に防ぐことができる。
【００７４】
次に、第２例に係る送信処理手順について説明する。なお、この第２例は、図８及び図９に示した第１例に係る送信処理手順のうちの図９を図１１に置換したものである。
【００７５】
先ず、図８に示した処理手順は、第１例に係る送信処理手順と共通であるため説明を省略し、処理１０７におけるＴ．３８セッション確立後に行う図１１に示す処理手順について説明する。
【００７６】
同図において、先ず、処理１０６で受信したCONNECTメッセージのdestinationInfo情報要素内のエンドポイントタイプが「gateway」であったかを否（「terminal」）かを判断する（判断４０１）。
【００７７】
そして、「gateway」である場合には（判断４０１のＹｅｓ）、表示器９ｋに、図１５に示す表示Ｄ１０を表示して、送信が完了するまで比較的時間のかかるゲートウェイ経由でのＧ３ファクスへの送信が行われていることをユーザに対して示した上で（処理４０２）、通信速度調節送信処理を行う（処理４０３）。
【００７８】
「terminal」である場合には（判断４０１のＮｏ）、表示器９ｋに、図１５に示す表示Ｄ２０を表示して、送信が完了するまで比較的短時間で済むインターネットファクスへの送信が行われていることをユーザに対して示した上で（処理４０４）、通信速度未調節送信処理を行う（処理４０５）。
【００７９】
なお、処理４０３の通信速度調節送信処理は、具体的には、既に説明した図１０に示した処理手順である。また、処理４０５の通信速度未調節送信処理は、従来と同様のパケット網５０を介して可能な最高通信速度で画データを送信する処理である。
【００８０】
このように、第２例の送信処理では、送信相手先装置とのネゴシエーションにより相手先端末の種別を知り、相手先装置がゲートウェイ装置である場合にのみ、本発明に係る通信速度調節送信処理を行うようにし、相手先装置がパケット網直結型のネットワークファクシミリ装置である場合には、従来と同様調節なしのパケット網５０を介して可能な最高通信速度でのデータ送信を行うようにしたため、ネットワークファクシミリ装置１からの送信画データがＧ３ファクシミリ装置に未送信のままゲートウェイ装置３０に蓄積されてしまってバッファオーバーフローが発生してしまうような事態の発生を未然に防ぐことができると共に、可能な限り高速なデータ送信が可能となる。
【００８１】
また、この第２例では、装置が自動的に判断した送信相手先端末の種別を表示するようにしたため、自分が指定した送信宛先の装置がネットワークファクシミリ装置かゲートウェイ装置かをユーザが容易に確認でき、送信相手先装置がネットワークファクシミリ装置である場合には非常に速くデータ送信が完了し、送信相手先装置がゲートウェイ装置である場合には比較的遅くデータ送信が完了するという、送信宛先によってデータ送信が完了するまでに要する時間が大きく異なるという、ユーザが感じる違和感を緩和できる。
【００８２】
次に、第３例に係る送信処理手順について、図１２、図１３及び図１４を参照して説明する。
【００８３】
先ず、図１２において、ネットワークファクシミリ装置１は、スキャナ５に原稿がセットされるかを監視し（判断５０１のＮｏループ）、スキャナ５に原稿がセットされると（判断５０１のＹｅｓ）、送信宛先の指定がテンキー９ａの押下やワンタッチキー群９ｈと［ＡＬＴ］キー９ｉとの組み合わせ入力によるマニュアルダイヤル、または、［短縮］キー９ｇと番号の指定入力による短縮ダイヤル、ワンタッチキー群ｈのうちのいずれかのキーの押下によるワンタッチダイヤルによりなされるかを監視し（判断５０２のＮｏループ）、送信宛先の指定があると（判断５０２のＹｅｓ）、判断５０２における宛先指定時のダイヤル種別を判断する（判断５０３）。
【００８４】
ダイヤル種別がマニュアルダイヤルであった場合には（判断５０３のＹｅｓ）、表示器９ｋに、図１５に示す表示Ｄ３０を表示して、相手端末の種別がインターネットファクス、ゲートウェイ、または、不明のいずれであるかを、［→］キー９ｊｒ、［←］キー９ｊｌの押下によりカーソルを移動させて選択し、その選択でよければ［Ｙｅｓ］キー９ｄを押下するように促す（処理５０４）。
【００８５】
そして、ユーザによる、［→］キー９ｊｒ、［←］キー９ｊｌの押下に応じて表示Ｄ３０におけるカーソル（下線）位置を文字列「インターネットファクス」、「ゲートウェイ」、または「不明」のいずれかに移動させると共に現在のカーソル位置を記憶するカーソル制御を、［Ｙｅｓ］キー９ｄが押下されるまで継続する（判断５０６のＮｏループ）。
【００８６】
［Ｙｅｓ］キー９ｄが押下されると（判断５０６のＹｅｓ）、判断５０６がＹｅｓになった時点におけるカーソル位置を判断する（判断５０７）。
【００８７】
その結果、カーソル位置が「ゲートウェイ」である場合にはゲートウェイフラグＦｇｗに値１をセットする（処理５０８）。カーソル位置が「不明」である場合には通信の安定性を重視してフラグＦｇｗに値１をセットする（処理５０８）。カーソル位置が「インターネットファクス」である場合には、フラグＦｇｗに値０をセットする（処理５０９）。なお、フラグＦｇｗの値は、ＲＡＭ４に保持される。
【００８８】
処理５０８または処理５０９の後は、図１４の判断７０１に移行する。
【００８９】
一方、判断５０３において、ダイヤル種別がワンタッチダイヤルまたは短縮ダイヤルである場合には、図１３の処理６０１に移行する。
【００９０】
処理６０１では、判断５０２で指定された短縮ダイヤル番号またはワンタッチキー番号に、図３に示したダイヤル登録テーブル４ａにおいて対応する相手端末種別値を確認する。
【００９１】
そして、その確認した値が、端末種別「ゲートウェイ」を示す値「１」である場合にはゲートウェイフラグＦｇｗに値１をセットする（処理６０３）。その確認した値が、端末種別「不明」を示す値「−１」である場合には通信の安定性を重視してフラグＦｇｗに値１をセットする（処理６０３）。その確認した値が、端末種別「インターネットファクス」を示す値「０」である場合には、フラグＦｇｗに値０をセットする（処理６０４）。なお、フラグＦｇｗの値は、ＲＡＭ４に保持される。
【００９２】
処理６０３または処理６０４の後は、図１４の判断７０１に移行する。
【００９３】
処理５０８、処理５０９、処理６０３または処理６０４の後に行われる、図１４の処理７０１においては、送信開始を指示する［スタート］キー９ｂの押下を監視し（判断７０１のＮｏループ）、［スタート］キーが押下されると（判断７０１のＹｅｓ）、判断５１でスキャナ５にセットされた原稿を読み取り、得られた画情報を蓄積メモリ７に蓄積する（処理７０２）。
【００９４】
そして、図６または図７の通信シーケンスにフェーズＦ１として示したように、SETUPメッセージを送信し（処理７０３）、フェーズＦ２として示したように、CONNECTメッセージを受信して（処理７０４）、Ｔ．３８セッションを確立した上で、ゲートウェイフラグＦｇｗの値が１が否（０）かを判断する（判断７０５）。
【００９５】
フラグＦｇｗの値が１である場合には（判断７０５のＹｅｓ）、表示器９ｋに、図１５に示す表示Ｄ１０を表示して、送信が完了するまで比較的時間のかかるゲートウェイ経由でのＧ３ファクスへの送信が行われていることをユーザに対して示した上で（処理７０６）、通信速度調節送信処理を行う（処理７０７）。
【００９６】
フラグＦｇｗの値が０であ場合には（判断７０５のＮｏ）表示器９ｋに、図１５に示す表示Ｄ２０を表示して、送信が完了するまで比較的短時間で済むインターネットファクスへの送信が行われていることをユーザに対して示した上で（処理７０８）、通信速度未調節送信処理を行う（処理７０９）。
【００９７】
なお、処理７０７の通信速度調節送信処理は、具体的には、既に説明した図１０に示した処理手順である。また、処理７０９の通信速度未調節送信処理は、従来と同様のパケット網５０を介して可能な最高通信速度で画データを送信する処理である。
【００９８】
このように、第３例の送信処理では、マニュアルダイヤルの場合には、ユーザによるその都度の相手端末種別の指定により相手先端末の種別を知り、マニュアルまたはワンタッチダイヤルの場合には、予め宛先と対応付けてダイヤル登録テーブル４ａに登録していた相手端末種別値から相手先端末の種別を知り、相手先装置がゲートウェイ装置である場合に、本発明に係る通信速度調節送信処理を行うようにし、相手先装置がパケット網直結型のネットワークファクシミリ装置である場合には、従来と同様の調節なしのパケット網５０を介して可能な最高通信速度でのデータ送信を行うようにしたため、ネットワークファクシミリ装置１からの送信画データがＧ３ファクシミリ装置に未送信のままゲートウェイ装置３０に蓄積されしまってバッファオーバーフローが発生してしまうような事態の発生を未然に防ぐことができると共に、可能な限り高速なデータ送信が可能となる。また、相手先装置が不明の場合には、相手先装置がゲートウェイ装置である場合もあることを重視して、本発明に係る通信速度調節送信処理を行うようにしたため、通信の安定性を最優先にすることができる。
【００９９】
また、この第３例では、短縮またはワンタッチダイヤル時に装置が自動的に判断した送信相手先端末の種別を表示するようにしたため、自分が指定した送信宛先の装置がネットワークファクシミリ装置がゲートウェイ装置かをユーザが容易に確認でき、送信相手先装置がネットワークファクシミリ装置である場合には非常に速くデータ送信が完了し、送信相手先装置がゲートウェイ装置である場合には比較的遅くデータ送信が完了するという、送信宛先によってデータ送信が完了するまでに要する時間が大きく異なるという、ユーザが感じる違和感を緩和できる。また、マニュアルダイヤル時にユーザが指定した送信相手先端末の種別も表示するようにしたため、自分が行った指定が正しかったかを容易に確認できる。
【０１００】
なお、この第３例では、マニュアルダイヤルの場合にのみユーザに相手先端末種別を指定させるようにしたが、短縮ダイヤルやワンタッチダイヤル時にも、ユーザに相手先端末種別を指定させるようにしてもよいのはいうまでもない。ただしその場合、ダイヤル登録テーブル４ａへの相手端末種別値の登録は不要となる。
【０１０１】
このように本実施の形態によれば、送信相手先がゲートウェイ装置であっても、安定性の高いリアルタイムネットワークファクシミリ通信を行うことできるようになる。
【０１０２】
なお、以上説明した実施形態においては、本発明を、単体のネットワークファクシミリ装置に適用したが本発明は、それに限らず、例えばＬＡＮインターフェイス回路を備えたパーソナルコンピュータが、そのＬＡＮインターフェイス回路を介してパケット網に接続されて、Ｔ．３８に基づいたネットワークファクシミリ通信を行うような、ネットワークファクシミリ装置がシステムとして構成されるような場合にも同様に適用可能なものであることはいうまでもない。
【０１０３】
【発明の効果】
請求項１に係る発明によれば、前記送信相手先装置がゲートウェイ装置である場合には、そのゲートウェイ装置と送信先のＧ３ファクシミリ装置との前記公衆網を介した通信速度にみあう単位時間当たりのデータ伝送量になるように、前記パケット網を介したデータ送信におけるデータ送出を調節するようにしたため、前記送信相手先装置がゲートウェイ装置であっても、送信相手先の通信バッファがオーバーフローすることなく安定した通信を行うことが可能となる効果が得られる。
【０１０４】
請求項２に係る発明によれば、前記送信相手先装置がゲートウェイ装置である場合には、そのゲートウェイ装置と送信先のＧ３ファクシミリ装置との前記公衆網を介した通信速度にみあう単位時間当たりのデータ伝送量になるように、前記パケット網を介したデータ送信におけるデータ送出を調節するようにしたため、前記送信相手先装置がゲートウェイ装置であっても、送信相手先の通信バッファがオーバーフローすることなく安定した通信を行うことが可能となる効果が得られる。また、前記送信相手先装置が前記パケット網における比較的高速な通信速度でのデータ伝送に対応したパケット網直結型のネットワークファクシミリ装置である場合には、前記パケット網を介して可能な最高通信速度でデータ送信を行うようにしたため、前記送信相手先装置がゲートウェイ装置である場合もあることに備えて、前記送信相手先装置がパケット網直結型のネットワークファクシミリ装置である場合にまで、前記ゲートウェイ装置と送信先のＧ３ファクシミリ装置との前記公衆網を介した通信速度程度に前記パケット網を介したデータ送信速度が制限されてしまうことがなく、通信の安定性と効率性を両立したデータ送信が可能となる効果が得られる。また、前記送信相手先装置の端末種別を、前記ＩＴＵ−Ｔ勧告Ｔ．３８に基づいた手順による前記パケット網を介した送信相手先装置との間のやりとりにより自動的に知ることができるため、送信相手先装置の特定のためにユーザの手を煩わせることもない利点がある。
【０１０５】
請求項３に係る発明によれば、前記送信相手先装置がゲートウェイ装置である場合には、そのゲートウェイ装置と送信先のＧ３ファクシミリ装置との前記公衆網を介した通信速度にみあう単位時間当たりのデータ伝送量になるように、前記パケット網を介したデータ送信におけるデータ送出を調節するようにしたため、前記送信相手先装置がゲートウェイ装置であっても、送信相手先の通信バッファがオーバーフローすることなく安定した通信を行うことが可能となる効果が得られる。また、前記送信相手先装置が前記パケット網における比較的高速な通信速度でのデータ伝送に対応したパケット網直結型のネットワークファクシミリ装置である場合には、前記パケット網を介して可能な最高通信速度でデータ送信を行うようにしたため、前記送信相手先装置がゲートウェイ装置である場合もあることに備えて、前記送信相手先装置がパケット網直結型のネットワークファクシミリ装置である場合にまで、前記ゲートウェイ装置と送信先のＧ３ファクシミリ装置との前記公衆網を介した通信速度程度に前記パケット網を介したデータ送信速度が制限されてしまうことがなく、通信の安定性と効率性を両立したデータ送信が可能となる効果が得られる。また、前記送信相手先装置の端末種別を、ユーザの認識通りに指定させることができる。
【０１０６】
請求項４に係る発明によれば、前記送信相手先装置がゲートウェイ装置である場合には、そのゲートウェイ装置と送信先のＧ３ファクシミリ装置との前記公衆網を介した通信速度にみあう単位時間当たりのデータ伝送量になるように、前記パケット網を介したデータ送信におけるデータ送出を調節するようにしたため、前記送信相手先装置がゲートウェイ装置であっても、送信相手先の通信バッファがオーバーフローすることなく安定した通信を行うことが可能となる効果が得られる。また、前記送信相手先装置が前記パケット網における比較的高速な通信速度でのデータ伝送に対応したパケット網直結型のネットワークファクシミリ装置である場合には、前記パケット網を介して可能な最高通信速度でデータ送信を行うようにしたため、前記送信相手先装置がゲートウェイ装置である場合もあることに備えて、前記送信相手先装置がパケット網直結型のネットワークファクシミリ装置である場合にまで、前記ゲートウェイ装置と送信先のＧ３ファクシミリ装置との前記公衆網を介した通信速度程度に前記パケット網を介したデータ送信速度が制限されてしまうことがなく、通信の安定性と効率性を両立したデータ送信が可能となる効果が得られる。また、前記送信相手先装置の端末種別を、指定さたれ送信宛先から自動的に特定することができるため、ユーザからの端末種別特定のための追加の操作入力なしに確実に端末種別を特定することが可能となる効果がえられる。
【０１０７】
請求項５に係る発明によれば、本発明に係る装置により自動的に選択された前記送信相手先装置の端末種別を表示するようにしたため、自分が指定した送信宛先の装置がネットワークファクシミリ装置かゲートウェイ装置かをユーザが容易に確認でき、前記送信相手先装置がネットワークファクシミリ装置である場合には非常に速くデータ送信が完了し、前記送信相手先装置がゲートウェイ装置である場合には比較的遅くデータ送信が完了するという、送信宛先によってデータ送信が完了するまでに要する時間が大きく異なるという、ユーザが感じる違和感を緩和することが可能となる効果が得られる。
【図面の簡単な説明】
【図１】本発明の実施の形態に係るネットワークファクシミリ装置のパケット網を介した通信形態について示す図である。
【図２】本発明の実施の形態に係るネットワークファクシミリ装置のブロック構成を示す図である。
【図３】本発明の実施の形態に係るネットワークファクシミリ装置のＲＡＭに記憶されるダイヤル登録テーブルについて示す図である。
【図４】本発明の実施の形態に係るファクシミリ装置の操作表示部の構成について示す図である。
【図５】本発明の実施の形態に係るネットワークファクシミリ装置におけるソフトウェア構成について示す図である。
【図６】パケット網を介したネットワークファクシミリ装置間のＩＴＵ−Ｔ勧告Ｔ．３８準拠の通信シーケンスについて示す図である。
【図７】パケット網を介したネットワークファクシミリ装置とゲートウェイ装置との間のＩＴＵ−Ｔ勧告Ｔ．３８準拠の通信シーケンス、及び、公衆網を介したゲートウェイ装置とＧ３ファクシミリ装置とのＩＴＵ−Ｔ勧告Ｔ．３０準拠の通信シーケンスについて示す図である。
【図８】本発明の実施の形態に係るネットワークファクシミリ装置における第１例及び第２例の送信処理手順に共通の手順について示すフローチャートである。
【図９】図８の処理手順に引き続いて行われる第１例に係る送信処理手順について示すフローチャートである。
【図１０】通信速度調節送信処理の具体的な処理手順について示すフローチャートである。
【図１１】図８の処理手順に引き続いて行われる第２例に係る送信処理手順について示すフローチャートである。
【図１２】本発明の実施の形態に係るネットワークファクシミリ装置における第３例に係る送信処理手順について示すフローチャートである。
【図１３】図１２と共に、本発明の実施の形態に係るネットワークファクシミリ装置における第３例に係る送信処理手順について示すフローチャートである。
【図１４】図１２及び図１３と共に、本発明の実施の形態に係るネットワークファクシミリ装置における第３例に係る送信処理手順について示すフローチャートである。
【図１５】表示例について示す図である。
【符号の説明】
１  ネットワークファクシミリ装置
２  システム制御部
３  ＲＯＭ
４  ＲＡＭ
４ａ  ダイヤル登録テーブル
５  スキャナ
６  プロッタ
７  蓄積メモリ
８  符号化復号化部
９  操作表示部
９ａ  テンキー
９ｂ  ［スタート］キー
９ｃ  ［ストップ］キー
９ｄ  ［Ｙｅｓ］キー
９ｅ  ［Ｎｏ］キー
９ｆ  ［ファンクション］キー
９ｇ  ［短縮］キー
９ｈ  ワンタッチキー群
９i  ［ＡＬＴ］キー
９ｊ  カーソルキー群
９k  表示器
１０  ＬＡＮ通信制御部
１１  ＬＡＮインターフェイス
１２  システムバス
２０  ネットワークファクシミリ装置
３０  ゲートウェイ装置
４０  Ｇ３ファクシミリ装置
５０  パケット網
６０  ＰＳＴＮ
【図１】
0003894706.tif 000002
【図２】
0003894706.tif 000003
【図３】
0003894706.tif 000004
【図４】
0003894706.tif 000005
【図５】
0003894706.tif 000006
【図６】
0003894706.tif 000007
【図７】
0003894706.tif 000008
【図８】
0003894706.tif 000009
【図９】
0003894706.tif 000010
【図１０】
0003894706.tif 000011
【図１１】
0003894706.tif 000012
【図１２】
0003894706.tif 000013
【図１３】
0003894706.tif 000014
【図１４】
0003894706.tif 000015
【図１５】
0003894706.tif 000016